(57)【要約】【課題】回動する部材を有する演出ユニットを備えた遊技機において、当該演出ユニットの動きを面白みのあるものとすること。【解決手段】ベース部材２０と、駆動源５０の動力により動作する演出ユニット１０と、を備え、前記演出ユニット１０は、前記駆動源５０の動力が伝達されて変位する第一部材１１と、前記第一部材１１に対して変位可能に設けられるとともに、前記ベース部材２０に設けられたガイド部２２に係合する第二部材１２と、を有し、前記駆動源５０の動力が伝達されることにより前記第一部材１１が変位するとき、前記第二部材１２が前記第一部材１１に対して変位することで、当該第二部材１２が前記ガイド部２２に係合する状態が維持されることを特徴とする遊技機１とする。【選択図】図３
2019198450.tif 000002
【特許請求の範囲】
【請求項１】
ベース部材と、
駆動源の動力により動作する演出ユニットと、
を備え、
前記演出ユニットは、
前記駆動源の動力が伝達されて変位する第一部材と、
前記第一部材に対して変位可能に設けられるとともに、前記ベース部材に設けられたガイド部に係合する第二部材と、
を有し、
前記駆動源の動力が伝達されることにより前記第一部材が変位するとき、前記第二部材が前記第一部材に対して変位することで、当該第二部材が前記ガイド部に係合する状態が維持されることを特徴とする遊技機。
【発明の詳細な説明】
【技術分野】
【０００１】
本発明は、遊技機に関する。
【背景技術】
【０００２】
下記特許文献１に記載されるように、回動することで遊技盤に形成された開口を通じて遊技者に視認可能な状態となる可動役物が公知である（例えば、下記特許文献１参照）。
【先行技術文献】
【特許文献】
【０００３】
【特許文献１】特開２０１２−９５６９６号公報
【発明の概要】
【発明が解決しようとする課題】
【０００４】
本発明が解決しようとする課題は、回動する部材を有する演出ユニットを備えた遊技機において、当該演出ユニットの動きを面白みのあるものとすることにある。
【課題を解決するための手段】
【０００５】
上記課題を解決するためになされた本発明にかかる遊技機は、ベース部材と、駆動源の動力により動作する演出ユニットと、を備え、前記演出ユニットは、前記駆動源の動力が伝達されて変位する第一部材と、前記第一部材に対して変位可能に設けられるとともに、前記ベース部材に設けられたガイド部に係合する第二部材と、を有し、前記駆動源の動力が伝達されることにより前記第一部材が変位するとき、前記第二部材が前記第一部材に対して変位することで、当該第二部材が前記ガイド部に係合する状態が維持されることを特徴とする。
【発明の効果】
【０００６】
本発明によれば、回動する部材を有する演出ユニットの動きを面白みのあるものとすることが可能である。
【図面の簡単な説明】
【０００７】
【図１】本実施形態にかかる遊技機の正面図である。
【図２】表示装置（表示領域）に表示された識別図柄および保留図柄を示した図である。
【図３】演出ユニットの動きを説明するための図である。
【図４】第二部材とガイド部の係合箇所を模式的に示した図である。
【図５】第一具体例を説明するための図である。
【図６】第二具体例を説明するための図である。
【発明を実施するための形態】
【０００８】
以下、本発明にかかる遊技機１の一実施形態について図面を参照して詳細に説明する。まず、図１を参照して遊技機１の全体構成について簡単に説明する。
【０００９】
遊技機１は遊技盤９０を備える。遊技盤９０は、ほぼ正方形の合板により成形されており、発射装置９０８（発射ハンドル）の操作によって発射された遊技球を遊技領域９０２に案内する通路を構成するガイドレール９０３が略円弧形状となるように設けられている。
【００１０】
遊技領域９０２には、表示装置９１、始動入賞口９０４、大入賞口９０６、アウト口９０７などが設けられている。かかる表示装置９１の表示領域９１１は、遊技盤９０に形成された開口２１を通じて視認可能となる領域である。なお、表示領域９１１の形状等は適宜変更可能である（開口２１の形状や大きさ、表示装置９１自体の形状や大きさを変更することで表示領域９１１の形状等を変更することができる）。
【００１１】
また、遊技領域９０２には、流下する遊技球が衝突することにより遊技球の流下態様に変化を与える障害物としての遊技釘が複数設けられている。遊技領域９０２を流下する遊技球は、遊技釘に衝突したときの条件に応じて様々な態様に変化する。
【００１２】
このような遊技機１では、発射装置９０８を操作することにより遊技領域９０２に向けて遊技球を発射する。遊技領域９０２を流下する遊技球が、始動入賞口９０４や大入賞口９０６等の入賞口に入賞すると、所定の数の賞球が払出装置により払い出される。
【００１３】
大当たりの抽選は、図示されない制御基板に設けられた当否判定手段が始動入賞口９０４への遊技球の入賞を契機として実行する（このような始動入賞口は複数設けられていてもよい）。具体的には、始動入賞口９０４への遊技球の入賞を契機として乱数源から数値（当否判定情報）が取得され、当該数値が予め定められた大当たりの数値と同じである場合には大当たりとなり、異なる場合にははずれとなる。本実施形態では、当該数値が取得された順に当否判定結果の報知が開始される（いわゆる変動が開始される）こととなるが、ある数値が取得されたときに、それより前に取得された数値に基づく当否判定結果が報知されている際には、当該ある数値に基づく当否判定結果が開始されるまで、図示されない制御基板に設けられた記憶手段に記憶される。未だ当否判定の報知が開始されていない数値（以下単に保留と称することもある）の最大の記憶数（最大保留数）は適宜設定することができる。本実施形態における記憶手段が記憶できる最大保留数は、一種の始動入賞口９０４につき四つである。記憶手段に上記数値（当否判定情報）が記憶されていることは、保留図柄８０として表示される（図２参照）。なお、本実施形態では、当否判定の報知が開始される時点で、取得された数値が大当たりとなる数値か否かが判断されることとなるが、数値が取得されたときに当否判定を行い、当否判定結果自体を記憶させておく構成としてもよい（この場合には当否判定結果自体が、当否判定情報に相当することとなる）。また、取得された数値は、当否判定結果を報知する演出の具体的な内容を決定するための数値としても利用される。
【００１４】
なお、遊技機１の枠体、遊技球を貯留する下皿や上皿など、本発明に関係のない遊技機１の構成要素は説明を省略する。これらについては公知の遊技機と同様の構造のものが適用できる。
【００１５】
本実施形態では、公知の遊技機と同様に、表示装置９１の表示領域９１１に表示される識別図柄７０（図２参照）の組み合わせによって当否判定結果を遊技者に報知する。具体的には、複数種の識別図柄７０を含む識別図柄群７０ｇ（左識別図柄群７０ｇＬ、中識別図柄群７０ｇＣ、右識別図柄群７０ｇＲ）が変動を開始し、最終的に各識別図柄群７０ｇから一の識別図柄７０が選択されて停止する。大当たりに当選している場合には各識別図柄群７０ｇから選択されて停止した識別図柄７０の組み合わせは所定の組み合わせ（例えば、同じ識別図柄７０の三つ揃い）となる。はずれである場合にはそれ以外（大当たりとなる組み合わせ以外）の組み合わせとなる。なお、各図においては、識別図柄７０を構成する「数字（文字）」のみを図示するが、当該数字とキャラクタ等が組み合わされた図柄を識別図柄７０として設定することができる。
【００１６】
本実施形態にかかる遊技機１は、演出ユニット１０を備える（図１等参照）。演出ユニット１０は、演出効果を発現するいわゆる可動役物である。演出ユニット１０は、第一部材１１および第二部材１２を有する。第一部材１１および第二部材１２の少なくともいずれか一方には、装飾が構築されており、当該装飾が遊技者に視認されることによる演出効果を発現する。本実施形態では、第一部材１１の前側に第一装飾部１１１が、第二部材１２の前側に第二装飾部１２１が構築されている。当該装飾の具体的態様はどのようなものであってもよい。
【００１７】
また、本実施形態にかかる遊技機１は、演出ユニット１０を支持するベース部材２０を備える（図１等参照）。ベース部材２０は、遊技盤９０の一部を構成するものであり、遊技領域９０２を装飾する部材である。本実施形態におけるベース部材２０は、大まかに見て外縁が略方形状を呈する枠状の部材であって、遊技盤９０に形成される開口２１を構築するものであり、かつ当該開口２１の周囲を装飾するものである。具体的には、ベース部材２０の内側（枠の内側）は開口２１となる部分（何もない部分）であり、当該開口２１を通じて表示装置の表示領域９１１が視認される。なお、枠の内側に透明な部材が設けられるような構成であっても、当該透明な部材が設けられた箇所は開口２１に相当するものとする。ベース部材２０の開口２１の範囲が、表示領域９１１を露出させる範囲であって、当該表示領域９１１に表示される画像（静止画、動画）がそのまま視認される範囲となる。ベース部材２０の少なくとも一部を光透過性の材料で形成し、ベース部材２０を通じて表示領域９１１に表示される画像が視認されるようにしてもよいが、ベース部材２０には種々の装飾が設けられる（装飾が画像に重なる）ため、基本的には遊技者はベース部材２０に形成された開口２１を通じて表示領域９１１に表示される画像を視認することになる。
【００１８】
第一部材１１は、駆動源５０であるモータの動力によって回動する部材である。本実施形態における第一部材１１は細長い部材であり、その一方端側に設定された回動軸Ｘを中心として原位置（後述する第二部材１２の原位置と区別するため以下第一原位置と称することもある）（図３（ａ）に示す位置）と演出位置（後述する第二部材１２の演出位置と区別するため以下第一演出位置と称することもある）（図３（ｃ）に示す位置）との間を往復動作可能なものである。本実施形態では、第一部材１１の左側端部がベース部材２０に対して回動自在に支持されている（図３参照）。当該ベース部材２０に支持された箇所が第一部材１１の回動軸Ｘである。本実施形態では当該回動軸Ｘは前後方向に沿う軸である。したがって、第一部材１１は、前後方向に直交する平面に沿って回動することになる。
【００１９】
第一原位置においては、第一部材１１は、左右方向に沿うように位置し、遊技盤９０の開口２１の上側の部分を装飾する（図３（ａ）参照）。第一原位置においては第一部材１１の少なくとも一部が他の部材に覆われて視認できない構成としてもよい。駆動源５０の動力が伝達されることで回動軸Ｘを中心として第一部材１１が回動し、第一演出位置に到達すると、当該第一部材１１の全部または大部分は遊技盤９０（ベース部材２０）に形成される開口２１に重なり、当該開口２１を通じて視認可能な状態となる（図３（ｂ）参照）。すなわち、表示領域９１１の前方に重なるように第一部材１１が位置するということである。駆動源５０から第一部材１１までの動力伝達構造（歯車等を用いたエネルギの伝達構造）はどのようなものであってもよいから説明を省略する。駆動源５０の動力が伝達されることで、第一部材１１が第一原位置から第一演出位置に向かって回動するものであればよい。
【００２０】
第二部材１２は、第一部材１１に支持されるものであり、かつ第一部材１１に対して変位可能に設けられた部材である。第二部材１２は、第一部材１１に対する相対的な位置である原位置（以下、上述した第一原位置と区別するため第二原位置と称する）（図３（ａ）に示す位置）と同じく第一部材１１に対する相対的な位置である演出位置（以下、上述した第一演出位置と区別するため第二演出位置と称する）（図３（ｃ）に示す位置）との間を変位することが可能である。ただし、第二部材１２は、第一部材１１とは別に独立して変位することが可能なものではない。詳細を後述するように、第一部材１１の変位（回動）に伴って変位するものである。したがって、第二部材１２のみを駆動させるための駆動源等が設けられているわけではない。
【００２１】
本実施形態では、第一部材１１の回動軸Ｘの反対側（本実施形態では第一部材１１の右側（第一原位置に位置する状態での方向をいう））に第二部材１２がスライド可能となるように設けられている（図３参照）。具体的には、全体的に細長い形状を呈する第一部材１１の右端からの突出量が変化するように、第一部材１１に対して第二部材１２が直線状にスライドすることが可能となるように両者が係合されている。図示しないが本実施形態では第一部材１１の後側に第二部材１２の一部が係合するスライドレールが設けられており、当該スライドレールに沿って第二部材１２は第一部材１１に対し変位することが可能である。
【００２２】
本実施形態では、第一部材１１の後方に第二部材１２が設けられている。つまり、第二部材１２は、第一部材１１の後側で変位する。第二部材１２は、第二原位置から第二演出位置に変位するにつれて、第一部材１１に覆われずに露出する（本実施形態では第一部材１１の回動軸Ｘの反対側の端部から露出する）領域が増加する。換言すれば、第二原位置から第二演出位置に変位するにつれて第一部材１１に覆われずに露出する第二装飾部１２１の範囲が大きくなるということである。
【００２３】
第二部材１２は、ベース部材２０に設けられた線状に延びるガイド部２２（図３参照）に係合されている。平面視（前方からの視点）で、ガイド部２２の少なくとも一部は、ベース部材２０に形成された開口２１に沿うように形成されている。本実施形態ではガイド部２２の全体が開口２１に沿うように形成されている。本実施形態におけるガイド部２２は、ベース部材２０に形成された開口２１の右側縁および下側縁の一部（左右方向中央よりも右側の一部）に沿うように形成されている。当該ガイド部２２の平面視形状は、回動軸Ｘからの距離が一定でない非円形状である。本実施形態におけるガイド部２２は、右上から左下に向かって湾曲するような曲線形状を含む。第一部材１１が第一原位置に、第二部材１２が第二原位置に位置するときには、第二部材１２はガイド部２２の上端（開口２１の右側縁に沿う部分の上端。以下、当該位置を原点と称することもある）に係合されているところ、本実施形態におけるガイド部２２は原点から離れるにつれて回動軸Ｘからの距離が次第に大きくなる部分を含むように設定されている。
【００２４】
第二部材１２には、ガイド部２２に係合する被係合部１２２が設けられている。本実施形態における被係合部１２２は、平板状を呈する被挟持部１２３の後方から突出する突起である。また、本実施形態におけるガイド部２２は、被係合部１２２が係合する溝である（図３、図４参照）。被係合部１２２は、当該ガイド部２２内をスライドすることが可能である。当該スライドを円滑なものとするため、被係合部１２２に回転体が設けられた構成としてもよい。
【００２５】
ベース部材２０は、ガイド部２２となる溝が形成された後側部材２０ｒと、当該溝を前方から覆う前側部材２０ｆを有する。ガイド部２２となる溝に被係合部１２２が係合された状態で、前後方向において後側部材２０ｒと前側部材２０ｆとの間に挟まれるようにして被挟持部１２３が位置する（図４参照）。後側部材２０ｒと被挟持部１２３の間、前側部材２０ｆと被挟持部１２３の間にはわずかなクリアランスが設定されているため、後側部材２０ｒと前側部材２０ｆとの間に挟まれた状態で被挟持部１２３は変位することが可能である。ただし、上記クリアランスは微小なものであるため、被挟持部１２３は前後方向にほとんど変位することができない（上記クリアランス分しか変位することができない）。つまり、被挟持部１２３が設けられた第二部材１２の前後方向への変位は、後側部材２０ｒおよび前側部材２０ｆにより規制されることとなる。
【００２６】
このように構成される演出ユニット１０の作用（動作）について、一部上記説明と重複するが説明する。演出ユニット１０を用いた可動演出が実行されていない状態においては、第一部材１１は第一原位置にある。当該第一部材１１に支持される第二部材１２は第二原位置にある。第一部材１１および第二部材１２の少なくとも一部は、表示領域９１１の上側を装飾する部材として機能する（図３（ａ）参照）。
【００２７】
演出ユニット１０を用いた可動演出を実行する際には、駆動源５０を駆動し、当該駆動源５０の動力を第一部材１１に伝達させる。これにより、第一部材１１は回動軸Ｘを中心として回動する。本実施形態では、第一部材１１の左側に設定された回動軸Ｘを中心として、当該第一部材１１の右側が下方に向かうように（時計回りに）回動する（図３（ｂ）（ｃ）参照）。このように第一部材１１が回動することで、第一部材１１は、表示領域９１１の前方に重なる（表示領域９１１の一部を覆う）状態となる。
【００２８】
このように第一部材１１が回動すると、それに伴って第二部材１２も変位する。第二部材１２は、第一部材１１に支持されたものであるため第一部材１１と一緒に回動する（図３（ｂ）（ｃ）参照）。これとともに、第二部材１２は、第一部材１１に対する相対的な位置も変化させる。上述した通り、第二部材１２（被係合部１２２）は、ベース部材２０に形成されたガイド部２２に係合されている。第二部材１２は、ベース部材２０に係合された状態を維持しつつ第一部材１１と一緒に回動することになる。
【００２９】
当該ガイド部２２は回動軸Ｘからの距離が一定でない非円形状であるため、第二部材１２がガイド部２２に係合された状態を維持するためには、第二部材１２の被係合部１２２が回動軸Ｘからの距離を変化させる必要がある。つまり、第二部材１２が第一部材１１に対して変位することで、被係合部１２２の回動軸Ｘからの距離が変化し、当該被係合部１２２がガイド部２２に係合された状態が維持されることになる。ガイド部２２により、第一部材１１に対して第二部材１２が変位させられるとみることもできる。本実施形態では、第一部材１１が第一原位置に位置するときには第二部材１２は第二原位置に位置し、第一部材１１が第一原位置から第一演出位置に向かって回動するにつれて、第二部材１２は第二原位置から第二演出位置に向かうように第一部材１１に対する相対的な位置を変化させることとなる（図３参照）。
【００３０】
このように、本実施形態における演出ユニット１０は、第一部材１１を回動させることで、当該第一部材１１と第二部材１２の相対的な位置関係も変化するという面白みのある動作をなすものである。第一部材１１と第二部材１２の相対的な位置関係の変化は、ガイド部２２を「回動軸Ｘからの距離が一定でない非円形状」とすることによって生じるものである（何らかの駆動源により第二部材１２を第一部材１１とは別に動作させる必要がないものである）から、演出ユニット１０を動作させる駆動機構の複雑化も抑制される。
【００３１】
特に、本実施形態におけるガイド部２２は原点から離れるにつれて回動軸Ｘからの距離が次第に大きくなる部分を含むように設定されているため、第一部材１１が回動するにつれて第二部材１２が第一部材１１の先端（回動軸Ｘが設定された側の反対側の端部）から突出する範囲が大きくなる。つまり、第二部材１２の前面に構築された第二装飾部１２１の露出する範囲が大きくなる。したがって、第一部材１１が回動するにつれて、第一部材１１（第一装飾部１１１）と第二部材１２（第二装飾部１２１）によって構築される装飾態様が変化するというものとなる。
【００３２】
また、ガイド部２２の少なくとも一部は、ベース部材２０の開口２１に沿うように形成されている。つまり、ガイド部２２の形状は、開口２１の形状に影響を及ぼすということである。仮に、第一部材１１がガイド部２２に係合するとすれば、ガイド部２２の形状を、回転軸を中心とした円形としなければならず、開口２１の形状も円形となってしまう。表示領域９１１の少なくとも一部は開口２１を通じて遊技者に視認されるものであるため、開口２１の形状は表示領域９１１の形状を実質的に決めるものであるといえ、開口２１の形状が限定されてしまうことは好ましくない。本実施形態では、第一部材１１に対する第二部材１２の変位により、ガイド部２２に係合する被係合部１２２の位置（回動軸Ｘからの距離）が変化するのであるから、開口２１の形状をある程度任意に決定することができる。第一部材１１に対する第二部材１２の変位量が大きいほど、開口２１の形状を決定するに際しての制限が小さくなるといえる。
【００３３】
また、第二部材１２の被挟持部１２３が、ベース部材２０を構成する前側部材２０ｆと後側部材２０ｒとの間に挟まれているから、第二部材１２の前後方向へのぶれが抑制される。第二部材１２は第一部材１１に対して前後方向に直交する平面方向にスライドするものであり、前後方向に変位するものではないから、第二部材１２を介して第一部材１１の前後方向へのぶれも抑制される。
【００３４】
以下、上記実施形態にかかる遊技機１を改良、変形、具体化等した具体例について説明する。なお、以下の具体例を用いて説明する技術的事項を複数組み合わせて適用した構成としてもよい。
【００３５】
○第一具体例
上記実施形態では、第一部材１１の後側に第二部材１２が設けられ、第一部材１１に対して第二部材１２が変位することで、第二装飾部１２１における第一部材１１に覆われずに露出する部分が大きくなることを説明したが、その逆の構成としてもよい。つまり、第一部材１１の前側に、当該第一部材１１に対して変位可能となるように第二部材１２が設けられた構成としてもよい。このような構成とすれば、第一部材１１に対して第二部材１２が変位することで、第二部材１２に覆われずに露出する第一装飾部１１１の範囲が変化することになる（図５参照）。
【００３６】
○第二具体例
上記実施形態では、第一部材１１が回動するものであることを説明したが、当該第一部材１１の変位の態様は回動に限られるものではない。例えば、第一部材１１が直線状に変位（スライド）するものとする（第一部材１１を直線状に変位させるための駆動機構はどのようなものであってもよいから説明を省略する）。そして、第二部材１２が係合するガイド部２２が、非直線状の部分（第一部材１１の移動方向と非平行でない部分）を含むものとする。このようにすることで、第一部材１１が直線状に変位したとき、ガイド部２２の非直線状の部分に係合する第二部材１２は、第一部材１１に対する相対的な位置を変化させることになる（図６参照）。
【００３７】
つまり、第一部材１１が変位することによりそれに支持された第二部材１２も変位して、かかる第二部材１２（被係合部１２２）とガイド部２２の相対的な位置関係が変化するような構成であれば、第一部材１１が変位することにより当該第一部材１１に対する第二部材１２の位置が変位するようなものとなる。
【００３８】
○第三具体例
上記実施形態におけるベース部材２０は、表示領域９１１を露出させる開口２１が形成された部材であることを説明したが、このような開口２１が形成される部材以外の部材がベース部材２０とされた構成としてもよい。ただし、上述したように、開口２１が形成される部材をベース部材２０とした場合には、当該開口２１の形状がガイド部２２の形状により制限されることが抑制されるという利点がある。
【００３９】
○第四具体例
上記実施形態におけるベース部材２０は、第一部材１１を支持するものであり、かつ、ガイド部２２が形成されるものであることを説明したが、第一部材１１を支持する部材と、ガイド部２２が形成される部材が、異なる部材であってもよい。
【００４０】
○第五具体例
ベース部材２０におけるガイド部２２を構成する部分の少なくとも一部が無色透明な材料で形成されたものとする。上述した通り、ガイド部２２は表示領域９１１を露出させる開口２１に沿うように形成されるものであるから、ガイド部２２の少なくとも一部が無色透明な材料で形成されたものとすることにより、表示領域９１１における視認できる範囲が増加することになる。また、ガイド部２２の無色透明な部分を通じて画像が視認されるから、ガイド部２２が目立たなくなるという利点もある。
【００４１】
○第五具体例
第二部材１２における被係合部１２２および被挟持部１２３の少なくとも一部が、無色透明な材料で形成されたものとする。このようにすることで、被係合部１２２や被挟持部１２３が表示領域９１１に重なる状態においても、これら被係合部１２２や被挟持部１２３を通じて画像が視認されることになる。
【００４２】
以上、本発明の実施の形態について詳細に説明したが、本発明は上記実施形態に何ら限定されるものではなく、本発明の要旨を逸脱しない範囲で種々の改変が可能である。
【００４３】
上記実施形態にかかる遊技機１はいわゆるぱちんこ遊技機であるが、可動する部材を備えた遊技機であれば、回動式遊技機等の異なる遊技機に対しても同様の技術思想が適用可能である。
【００４４】
上記実施形態から得られる具体的手段（遊技機）を以下に列挙する。
【００４５】
・手段１
ベース部材と、
駆動源の動力により回動軸を中心として回動する演出ユニットと、
を備え、
前記演出ユニットは、
前記駆動源の動力が伝達されて前記回動軸を中心として回動する第一部材と、
前記第一部材に対して変位可能に設けられるとともに、前記ベース部材に設けられたガイド部に係合する第二部材と、
を有し、
前記ガイド部は、前記回動軸からの距離が一定ではない非円形状を呈するものであり、
前記駆動源の動力が伝達されることにより前記第一部材が回動するとき、前記第二部材が前記第一部材に対して変位することで、当該第二部材が前記ガイド部に係合する状態が維持されることを特徴とする遊技機。
上記遊技機における演出ユニットは、第一部材を回動させることで、当該第一部材と第二部材の相対的な位置関係も変化するという面白みのある動作が実現されるものである。
【００４６】
・手段２
前記ガイド部の少なくとも一部は、前記ベース部材に形成された開口に沿うように形成されていることを特徴とする手段１に記載の遊技機。
・手段３
種々の演出用の画像が表示される表示領域を有する表示装置を備え、
前記表示領域の少なくとも一部は、前記ベース部材に形成された開口を通じて視認されるものであることを特徴とする手段２に記載の遊技機。
上記のようにガイド部の少なくとも一部が開口に沿うものとする場合、開口の形状はガイド部の形状に依存することになるところ、第一部材に対して第二部材が変位することで第二部材がガイド部に係合する状態が維持されるのであるから、ガイド部の形状、すなわち開口の形状をある程度任意に決定することができる（円形にする必要がない）。
したがって、開口を通じて表示領域の少なくとも一部が視認される構成とするのであれば、当該開口を通じて視認される範囲をある程度任意により決定することができるということである。
【００４７】
・手段４
前記第二部材は、前記第一部材の後側に設けられるとともに、前側に第二装飾部を有し、
前記第二部材が前記第一部材に対して変位することで、前記第一部材に覆われずに露出する前記第二装飾部の範囲が変化することを特徴とする手段１から手段３のいずれかに記載の遊技機。
このように、第一部材の後側に第二部材が設けられる構成とするのであれば、第一部材に対して第二部材が変位することにより、第二装飾部の露出する範囲が変化する態様となる。
【００４８】
・手段５
前記第二部材は、前記第一部材の前側に設けられており、
前記第一部材は、前側に第一装飾部を有し、
前記第二部材が前記第一部材に対して変位することで、前記第二部材に覆われずに露出する前記第一装飾部の範囲が変化することを特徴とする手段１から手段３のいずれかに記載の遊技機。
このように、第一部材の前側に第二部材が設けられる構成とするのであれば、第一部材に対して第二部材が変位することにより、第一装飾部の露出する範囲が変化する態様となる。
【符号の説明】
【００４９】
１  遊技機
１０  演出ユニット
１１  第一部材
１１１  第一装飾部
１２  第二部材
１２１  第二装飾部
１２２  被係合部
１２３  被挟持部
２０  ベース部材
２１  開口
２２  ガイド部
２０ｆ  前側部材
２０ｒ  後側部材
Ｘ  回動軸
５０  駆動源
９１  表示装置
９１１  表示領域
【図１】
2019198450.tif 000003
【図２】
2019198450.tif 000004
【図３】
2019198450.tif 000005
【図４】
2019198450.tif 000006
【図５】
2019198450.tif 000007
【図６】
2019198450.tif 000008